(57)【要約】【課題】サービス手段のサービス提供の中断や欠損を回避し、更新されたＩＰアドレスを含むメッセージを生成するネットワーク装置を提供する。【解決手段】ＷＳＤサーバー１０は、使用されているＩＰアドレスを記憶し、ステートレスアドレスと記憶したＩＰアドレスとを照合することでステートレスアドレスが更新されたことを検出するアドレス照合手段１６と、要求されるリクエストを受け付け、リクエストに対して応答するリクエスト処理手段２０と、ＷＳＤサービス２８が発行するメッセージの作成を指示するメッセージ更新指示手段２６と、を備え、アドレス照合手段１６がステートレスアドレスの更新を検出した場合、リクエスト処理手段２０は以降に受け付けるリクエストに対する応答を留保し、メッセージ更新指示手段２６が更新されたステートレスアドレスに基づいてメッセージの生成を指示した後、応答を留保していたリクエストに対して応答する。【選択図】図１
2012186750.tif 000002
【特許請求の範囲】
【請求項１】
ネットワークで接続されたクライアントに対して、自身を示す所定のＩＰアドレスを含むメッセージを発行し、所定のサービスを提供するサービス手段を有するネットワーク装置であって、
前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出手段と、
前記クライアントから要求されるリクエストを受け付け、前記リクエストに対して応答する応答手段と、
前記ＩＰアドレスを含む前記メッセージの作成を前記サービス手段に対して指示する指示手段と、を備え、
前記検出手段が前記所定のＩＰアドレスの更新を検出した場合、前記応答手段は以降に受け付ける前記リクエストに対する応答を留保し、前記指示手段は更新された前記所定のＩＰアドレスを含む前記メッセージの生成を指示した後、前記応答手段は応答を留保していた前記リクエストに対して応答することを特徴とするネットワーク装置。
【請求項２】
請求項１に記載のネットワーク装置において、
前記応答手段は、前記検出手段が前記所定のＩＰアドレスの更新を検出する前に受け付けた前記リクエストに対して留保することなく応答することを特徴とするネットワーク装置。
【請求項３】
請求項１乃至２のいずれかに記載のネットワーク装置において、
前記所定のＩＰアドレスは、前記ネットワークに接続されたルーターから送信されるメッセージに基づいて生成されることを特徴とするネットワーク装置。
【請求項４】
ネットワークで接続されたクライアントに対して、自身を示す所定のＩＰアドレスを含むメッセージを発行し、所定のサービスを提供するサービス手段を有するネットワーク装置の通信方法であって、
前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出工程と、
前記クライアントから要求されるリクエストを受け付け、前記リクエストに対して応答する応答工程と、
前記ＩＰアドレスを含む前記メッセージの作成を前記サービス手段に対して指示する指示工程と、を備え、
前記検出工程で前記所定のＩＰアドレスの更新が検出された場合、前記応答工程で以降に受け付ける前記リクエストに対する応答を留保し、前記指示工程で更新された前記所定のＩＰアドレスを含む前記メッセージの生成を指示した後、前記応答工程で応答を留保していた前記リクエストに対して応答することを特徴とするネットワーク装置の通信方法。
【請求項５】
ネットワークで接続されたクライアントに対して、自身を示す所定のＩＰアドレスを含むメッセージを発行し、所定のサービスを提供するサービス手段を有するネットワーク装置の通信プログラムであって、
前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出機能と、
前記クライアントから要求されるリクエストを受け付け、前記リクエストに対して応答する応答機能と、
前記ＩＰアドレスを含む前記メッセージの作成を前記サービス手段に対して指示する指示機能と、を備え、
前記検出機能が前記所定のＩＰアドレスの更新を検出した場合、前記応答機能は以降に受け付ける前記リクエストに対する応答を留保し、前記指示機能は更新された前記所定のＩＰアドレスを含む前記メッセージの生成を指示した後、前記応答機能は応答を留保していた前記リクエストに対して応答することを、コンピューターに実行させることを特徴とするネットワーク装置の通信プログラム。
【発明の詳細な説明】
【技術分野】
【０００１】
本発明は、ネットワーク装置、ネットワーク装置の通信方法およびネットワーク装置の通信プログラムに関する。
【背景技術】
【０００２】
現在、広く普及しているインターネットではルーティテングプロトコルとしてＩＰ（Ｉｎｔｅｒｎｅｔ  Ｐｒｏｔｏｃｏｌ）が用いられている。現状において、一般的に使用されているＩＰは、ＩＰｖ４（Ｉｎｔｅｒｎｅｔ  Ｐｒｏｔｏｃｏｌ  ｖｅｒｓｉｏｎ４）であり、発信元／宛先として３２ビットからなるアドレス（ＩＰアドレス）が用いられている。
インターネット通信においては、３２ビットのＩＰアドレスを各発信元／宛先のデバイスに対してユニークに割り当てるグローバルＩＰアドレスを採用し、ＩＰアドレスに応じて、個々の発信元／宛先を判別している。しかしながら、インターネットの世界は急速に広がりを見せており、ＩＰｖ４の限られたアドレス空間、すなわちグローバルアドレスの枯渇が問題となってきている。これを解決するために、次世代ＩＰアドレスとして、ＩＰアドレス空間を３２ビットから１２８ビットに拡張し、新しいアドレス空間を持つＩＰｖ６（Ｉｎｔｅｒｎｅｔ  Ｐｒｏｔｏｃｏｌ  ｖｅｒｓｉｏｎ６）が提案され、実用化されている。
【０００３】
ＩＰｖ６のＩＰアドレスは、デバイス自身がローカル環境で一意なＩＰｖ６アドレスを生成するリンクローカルアドレスと、ＤＨＣＰやルーターのＲＡ（Ｒｏｕｔｅｒ  Ａｄｖｅｒｔｉｓｅｍｅｎｔ）発行により生成されるグローバルアドレスとに大別できる。このうち、グローバルアドレスは、ＲＡで有効期限が設定され、有効期限切れが近づくと新しいＩＰアドレスが動的に生成される。
このようにＩＰアドレスが更新された場合でも、他のデバイスからのアクセスを可能にすべく、ホスト名とＩＰアドレスとを関連付けて登録する通信管理システムが下記特許文献１に提案されている。このような通信管理システムを採用することで、ＩＰｖ４およびＩＰｖ６の何れのプロトコルであっても、ホスト名をそれぞれ設定し、設定したホスト名を用いることで、ＩＰアドレスを意識しないコミュニケーションを行うことができる。
【０００４】
ところで、クライアントからの要求に対してサーバーが行うサービスが規格化されている。例えば、クライアントから汎用的にネットワーク機器を利用するための標準通信プロトコルや、簡単にデバイスを使用するためのサービスとして、ＷＳＤ（Ｗｅｂ  Ｓｅｒｖｉｃｅ  ｆｏｒ  Ｄｅｖｉｃｅｓ）サービスが知られている。
ＷＳＤとは、デバイスを用いた様々なサービスの要求に答えるために定義された標準仕様であり、Ｗｅｂサービスのアーキテクチャーを使用し、標準化された通信プロトコル群と印刷サービスとを提供している。
ＷＳＤサービスを行うＷＳＤサーバーは、ＷＳＤクライアントに対してメッセージを生成するが、その際、ＩＰｖ６アドレスをメッセージに組み込む必要があり、ＩＰｖ６アドレスを組み込んだメッセージはＷＳＤサービス起動時に生成される。
【先行技術文献】
【特許文献】
【０００５】
【特許文献１】特開２００２−１５２２５３号公報
【発明の概要】
【発明が解決しようとする課題】
【０００６】
しかしながら、ＩＰアドレスが更新された場合、ＷＳＤサーバーにはＩＰアドレスの更新が通知されないため、管理者がＩＰアドレスの更新を検知してＷＳＤサービスを再起動させる必要があったが、ＩＰアドレスの更新の検知が遅れることで、ＷＳＤサービスの中断や、ＷＳＤサービスの再起動中は接続が切れるため、ＷＳＤクライアントから要求されるリクエストは無視され、そのリクエストに応じたＷＳＤサービスの欠損が生じた。
そこで本発明は、前記課題に鑑みてなされたものであり、ＩＰアドレスが更新された場合、サービス提供の中断や欠損を回避し、更新されたＩＰアドレスを含むメッセージを生成することを目的とする。
【課題を解決するための手段】
【０００７】
本発明は、上述の課題の少なくとも一部を解決するためになされたものであり、以下の形態又は適用例として実現することが可能である。
【０００８】
［適用例１］
本適用例にかかるネットワーク装置は、ネットワークで接続されたクライアントに対して、自身を示す所定のＩＰアドレスを含むメッセージを発行し、所定のサービスを提供するサービス手段を有するネットワーク装置であって、前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出手段と、前記クライアントから要求されるリクエストを受け付け、前記リクエストに対して応答する応答手段と、前記ＩＰアドレスを含む前記メッセージの作成を前記サービス手段に対して指示する指示手段と、を備え、前記検出手段が前記所定のＩＰアドレスの更新を検出した場合、前記応答手段は以降に受け付ける前記リクエストに対する応答を留保し、前記指示手段は更新された前記所定のＩＰアドレスを含む前記メッセージの生成を指示した後、前記応答手段は応答を留保していた前記リクエストに対して応答することを特徴とする。
【０００９】
このような構成によれば、記憶したＩＰアドレスと照合することで、メッセージに含まれる所定のＩＰアドレスが更新されたことを検出した場合、以降に受け付けるリクエストを留保し、更新された所定のＩＰアドレスに基づくメッセージを作成させた後、留保していたリクエストに応答する。従って、自身を示す所定のＩＰアドレス更新の検出を契機として、クライアントから要求されるリクエストを破棄することなく留保し、サービス手段のメッセージを更新した後、留保したリクエストに応答することで、所定のＩＰアドレスの更新により生じるサービス手段のサービスの中断や欠損を回避できる。
【００１０】
［適用例２］
上記適用例にかかるネットワーク装置において、前記応答手段は、前記検出手段が前記所定のＩＰアドレスの更新を検出する前に受け付けた前記リクエストに対して留保することなく応答しても良い。
【００１１】
［適用例３］
上記適用例にかかるネットワーク装置において、前記所定のＩＰアドレスは、前記ネットワークに接続されたルーターから送信されるメッセージに基づいて生成されても良い。
【００１２】
［適用例４］
本適用例にかかるネットワーク装置の通信方法は、ネットワークで接続されたクライアントに対して、自身を示す所定のＩＰアドレスを含むメッセージを発行し、所定のサービスを提供するサービス手段を有するネットワーク装置の通信方法であって、前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出工程と、前記クライアントから要求されるリクエストを受け付け、前記リクエストに対して応答する応答工程と、前記ＩＰアドレスを含む前記メッセージの作成を前記サービス手段に対して指示する指示工程と、を備え、前記検出工程で前記所定のＩＰアドレスの更新が検出された場合、前記応答工程で以降に受け付ける前記リクエストに対する応答を留保し、前記指示工程で更新された前記所定のＩＰアドレスを含む前記メッセージの生成を指示した後、前記応答工程で応答を留保していた前記リクエストに対して応答することを特徴とする。
【００１３】
このような方法によれば、記憶したＩＰアドレスと照合することで、メッセージに含まれる所定のＩＰアドレスが更新されたことを検出した場合、以降に受け付けるリクエストを留保し、更新された所定のＩＰアドレスに基づくメッセージを作成させた後、留保していたリクエストに応答する。従って、自身を示す所定のＩＰアドレス更新の検出を契機として、クライアントから要求されるリクエストを破棄することなく留保し、サービス手段のメッセージを更新した後、留保したリクエストに応答することで、所定のＩＰアドレスの更新により生じるサービス手段のサービスの中断や欠損を回避できる。
【００１４】
［適用例５］
本適用例にかかるネットワーク装置の通信プログラムは、ネットワークで接続されたクライアントに対して、自身を示す所定のＩＰアドレスを含むメッセージを発行し、所定のサービスを提供するサービス手段を有するネットワーク装置の通信プログラムであって、前記ネットワークで使われているＩＰアドレスを抽出して記憶し、記憶した前記ＩＰアドレスと、前記メッセージに含まれる前記所定のＩＰアドレスとを照合することで前記所定のＩＰアドレスが更新されたことを検出する検出機能と、前記クライアントから要求されるリクエストを受け付け、前記リクエストに対して応答する応答機能と、前記ＩＰアドレスを含む前記メッセージの作成を前記サービス手段に対して指示する指示機能と、を備え、前記検出機能が前記所定のＩＰアドレスの更新を検出した場合、前記応答機能は以降に受け付ける前記リクエストに対する応答を留保し、前記指示機能は更新された前記所定のＩＰアドレスを含む前記メッセージの生成を指示した後、前記応答機能は応答を留保していた前記リクエストに対して応答することを、コンピューターに実行させることを特徴とする。
【００１５】
このような機能によれば、記憶したＩＰアドレスと照合することで、メッセージに含まれる所定のＩＰアドレスが更新されたことを検出した場合、以降に受け付けるリクエストを留保し、更新された所定のＩＰアドレスに基づくメッセージを作成させた後、留保していたリクエストに応答する。従って、自身を示す所定のＩＰアドレス更新の検出を契機として、クライアントから要求されるリクエストを破棄することなく留保し、サービス手段のメッセージを更新した後、留保したリクエストに応答することで、所定のＩＰアドレスの更新により生じるサービス手段のサービスの中断や欠損を回避できる。
【図面の簡単な説明】
【００１６】
【図１】本発明の実施形態に係るネットワークに接続されたデバイスの構成を示すブロック図。
【図２】ＲＡ発行を契機にＩＰｖ６のステートレスアドレスが更新される場合の処理の流れを示すフローチャート。
【発明を実施するための形態】
【００１７】
以下、ネットワーク装置について図面を参照して説明する。
【００１８】
（実施形態）
図１は、ネットワーク６０に接続されたデバイスの構成を示すブロック図である。図１では、ＷＳＤサーバー１０、ルーター４０およびＷＳＤクライアント５０がネットワーク６０を介して通信可能に接続されている。尚、これらの装置は、ＩＰｖ６で規定されるプロトコルに対応する。
ＷＳＤサーバー１０はネットワーク装置として機能し、アドレス情報記憶手段１２、アドレス取得手段１４、アドレス照合手段１６、リクエストブロック手段１８、リクエスト処理手段２０、リクエスト受付手段２２、通信手段２４、メッセージ更新指示手段２６およびＷＳＤサービス２８を備える。
【００１９】
これらの機能のうち、通信手段２４とＷＳＤサービス２８を除く機能は、ＩＰｖ６アドレス監視タスクとして構成され、ＷＳＤサーバー１０のハードウェア（ＣＰＵ、ＲＡＭ、ＲＯＭ等で何れも図示は略す。）とソフトウェアとが協働することで実現する。尚、本実施形態では、ＷＳＤサーバー１０は図示を略したプリンターに接続され、プリントサーバーとして機能する様態を想定するが、これに限定されるものではなく、スキャナーやＦＡＸ等に接続されたサーバーの様態でも良い。
また、本実施形態では、サービス手段としてメッセージに自身のＩＰアドレスが含まれるＷＳＤサービス２８を採用するが、これに限定されるものではない。例えば、ＵＰｎＰ（Ｕｎｉｖｅｒｓａｌ  Ｐｌｕｇ＆Ｐｌａｙ＜登録商標＞）サービスのように、メッセージにＩＰアドレスが含まれるサービスであるならば、どのようなサービスでも良い。
【００２０】
アドレス情報記憶手段１２は、ＷＳＤサーバー１０に割り当てられたＩＰｖ６のステートレスアドレスに関する情報を記憶する。尚、ステートレスアドレスは、ルーター４０から送られるＲＡに基づいて生成される。周知のように、ステートレスアドレスは、グローバルアドレスの１つであり、有効期限が決められているために有効期限が切れそうになると、ルーター４０からＲＡを受け取り、新しい次のステートレスアドレスを生成する。また、ユーザーの操作によりアドレスが設定された場合、設定されたＩＰｖ６のステートレスアドレスに関する情報も記憶される。
アドレス取得手段１４は、ＷＳＤサービス２８のメッセージに含まれるＩＰｖ６アドレスに関する情報を抽出して取得する。取得したＩＰｖ６アドレスの情報はアドレス照合手段１６に送られる。
【００２１】
アドレス照合手段１６は、アドレス取得手段１４から送られるＩＰｖ６のステートレスアドレスがアドレス情報記憶手段１２に記憶されているか否かを照合し、ステートレスアドレスの更新を検出する。照合した結果、アドレス情報記憶手段１２に記憶されている場合、そのステートレスアドレスは現在も有効であると判定する。他方で、アドレス情報記憶手段１２に記憶されていない場合、ステートレスアドレスは更新されたと判定する。本実施形態では、ステートレスアドレスの更新を判定した場合、アドレス照合手段１６はステートレスアドレスの更新を示す情報をリクエストブロック手段１８およびメッセージ更新指示手段２６に通知する。
更に、アドレス照合手段１６は、更新されたステートレスアドレスに関する情報をアドレス情報記憶手段１２に記憶する。
以上述べたように、アドレス情報記憶手段１２、アドレス取得手段１４およびアドレス照合手段１６は、ステートレスアドレスが更新されたことを検出する検出手段として機能する。
【００２２】
リクエストブロック手段１８は、アドレス照合手段１６からステートレスアドレスの更新を示す情報を受け取った場合、リクエスト処理手段２０に対してリクエスト処理のブロックを指示する。本実施形態では、全てのリクエスト処理のブロックを指示するが、アドレス情報記憶手段１２に記憶されているアドレスに関係するリクエスト処理のみを選択的にブロックしても良い。
尚、リクエスト処理手段２０がリクエスト処理を実行中である場合、実行中のリクエストに対してはブロックすることなく、処理が終了するのを待って、リクエスト処理のブロックを指示する。
更に、リクエストブロック手段１８は、リクエスト処理のブロックが開始された場合、ブロック開始をメッセージ更新指示手段２６に通知する。
また、メッセージ更新指示手段２６からメッセージ更新の終了が通知された場合、リクエストブロック手段１８は、リクエスト処理手段２０に対してリクエスト処理のブロック終了を指示する。
【００２３】
リクエスト受付手段２２およびリクエスト処理手段２０は、リクエストに対する応答手段として機能する。
リクエスト受付手段２２は、ＷＳＤクライアント５０からＷＳＤサーバー１０に対して要求するリクエストを受け付ける。本実施形態では、ＷＳＤクライアント５０からＷＳＤサーバー１０に送信されたリクエスト信号は、ネットワーク６０を介して通信手段２４に受信された後、リクエスト受付手段２２でリクエスト情報が抽出される。抽出されたリクエスト情報はリクエスト処理手段２０に送られる。
リクエスト処理手段２０は、ＷＳＤクライアント５０からのリクエスト情報に基づくリクエスト処理を実行する。リクエスト処理とは、例えば、ＷＳＤクライアント５０にサービスを提供するＷＳＤサービス２８に対するサービス実行指示等である。
また、リクエスト処理手段２０は、ＷＳＤクライアント５０からのリクエスト情報に対してリクエスト処理を実行した場合、ＷＳＤクライアント５０に対してレスポンスを応答する。本実施形態では、応答を示すレスポンス信号を生成し、通信手段２４からＷＳＤクライアント５０に送信する。
【００２４】
また、リクエスト処理手段２０は、リクエストブロック手段１８から指示されたリクエスト処理のブロック指示に応じて、リクエスト処理を一時的にブロック（留保）する。また、リクエスト処理手段２０は、リクエストブロック手段１８からリクエスト処理のブロック終了指示を受けた場合、留保していたリクエスト処理を順次再開する。
メッセージ更新指示手段２６は、アドレス照合手段１６から通知されるステートレスアドレスの更新情報に基づき、ＷＳＤサービス２８のメッセージ作成手段３０に対して、新しいステートレスアドレスを含むメッセージの作成を指示する（指示手段）。本実施形態では、メッセージ更新指示手段２６は、ステートレスアドレスの更新による新旧アドレスの不整合を回避すべく、リクエストブロック手段１８からのブロック開始通知を待ってメッセージの作成を指示する。また、ＷＳＤサービス２８のメッセージ作成手段３０からメッセージ作成終了の通知を受けた場合、メッセージ更新指示手段２６はメッセージ更新の終了をリクエストブロック手段１８に通知する。
【００２５】
図２は、ＲＡ発行を契機にＩＰｖ６のステートレスアドレスが更新される場合の処理の流れを示すフローチャートである。
最初に、ＷＳＤクライアント５０は、ＷＳＤサーバー１０に対してリクエストＡを送信する（ステップＳ３００）。続いて、ＷＳＤサーバー１０は、リクエストＡを受信する（ステップＳ２００）。
【００２６】
ここで、ルーター４０からＲＡが送信される（ステップＳ１００）。ＷＳＤサーバー１０はアドレス照合を行い、ＩＰｖ６のステートレスアドレスがＩＰ層で更新されたことを認知する（ステップＳ２０２）。
次に、ＷＳＤサーバー１０は、ステートレスアドレスの更新を認知するよりも前に受信していたリクエストＡの処理を行う（ステップＳ２０４）。
続いて、ＷＳＤサーバー１０は、リクエストＡに対するレスポンス信号をＷＳＤクライアント５０に送信し（ステップＳ２０６）、ＷＳＤクライアント５０はレスポンス信号を受信する（ステップＳ３０２）。
次に、ＷＳＤサーバー１０は、リクエストＡの処理を終了後、リクエストに対するブロックを開始する（ステップＳ２０８）。
次に、ＷＳＤサービス２８においてメッセージの更新を開始する（ステップＳ２１０）。
【００２７】
ここで、ＷＳＤクライアント５０は、ＷＳＤサーバー１０に対してリクエストＢを送信する（ステップＳ３０４）。続いて、ＷＳＤサーバー１０は、リクエストＢを受信する（ステップＳ２１２）。尚、ＷＳＤサーバー１０は、リクエストに対するブロックを行っているため、リクエストＢは留保される。
続いて、ＷＳＤサービス２８において、メッセージの更新が終了する（ステップＳ２１４）。
次に、ＷＳＤサーバー１０は、メッセージの更新終了を受けて、リクエストに対するブロックを終了する（ステップＳ２１６）。
【００２８】
次に、ＷＳＤサーバー１０は、留保していたリクエストＢの処理を行う（ステップＳ２１８）。
続いて、ＷＳＤサーバー１０は、リクエストＢに対するレスポンス信号をＷＳＤクライアント５０に送信し（ステップＳ２２０）、ＷＳＤクライアント５０はレスポンス信号を受信し（ステップＳ３０６）、一連の処理を終了する。
【００２９】
以上述べた実施形態によれば、以下のような効果を奏する。
（１）ステートレスアドレスの有効期限切れを判別し、アドレスが更新された場合、サービスのメッセージのアドレス情報を更新できるため、ＷＳＤクライアント５０はアドレスの有効期限切れを意識することなく、ＷＳＤサービス２８を使用できる。
（２）メッセージが更新されている間はリクエストが留保され、更新処理が終了した後、留保されたリクエストが順次処理されるため、ＷＳＤクライアント５０が要求したリクエストの一部がリクエストブロックにより欠損されることを回避できる。
また、以上のような手法を実施する装置は、単独の装置によって実現される場合もあれば、複数の装置を組み合わせることによって実現される場合もあり、各種の態様を含むものである。
【符号の説明】
【００３０】
１０…ＷＳＤサーバー、１２…アドレス情報記憶手段、１４…アドレス取得手段、１６…アドレス照合手段、１８…リクエストブロック手段、２０…リクエスト処理手段、２２…リクエスト受付手段、２４…通信手段、２６…メッセージ更新指示手段、２８…ＷＳＤサービス、３０…メッセージ作成手段、４０…ルーター、５０…ＷＳＤクライアント、６０…ネットワーク。
【図１】
2012186750.tif 000003
【図２】
2012186750.tif 000004